(57)【要約】  本発明は、ホイール前側（６）、ホイール後側（１１）及びホイールハブ（３）を有し、ポリマー材料で構成される高速圧縮機用の圧縮機ホイールに関し、前記ホイール前側（６）は、前記外周（１５）から前記ホイールハブ（３）に向けて、前記ホイール前側（６）の外周（１５）に通じる放射状延伸面と前記ホイール前側（６）の表面との間の距離が増加する湾曲を有し、前記ホイール前側（６）上に案内翼（７）が配列される。前記ホイールハブ（３）は前記ホイール後側（１１）上で軸方向に突出し、また前記ホイールハブ（３）から前記外周（１５）に向けて補強リブ（１３）が伸長し、前記ホイール後側（１１）の前記外周（１５）に通じる放射状延伸面と前記補強リブ（１３）の後縁（１９）との間の距離は、前記ホイール後側（１１）の前記外周（１５）から前記ホイールハブ（３）に向けて増加する。  本発明は、更に、圧縮機ホイールの使用にも関する。【選択図】図１
2018518630.tif 000002
【特許請求の範囲】
【請求項１】
ホイール前側（６）、ホイール後側（１１）及びホイールハブ（３）を有し、ポリマー材料で構成される高速圧縮機用の圧縮機ホイールであって、前記ホイール前側（６）は、前記外周（１５）から前記ホイールハブ（３）に向けて、前記ホイール前側（６）の外周（１５）に通じる放射状延伸面と前記ホイール前側（６）の表面との間の距離が増加する湾曲を有し、前記ホイール前側（６）上に案内翼（７）が配列され、前記ホイールハブ（３）は前記ホイール後側（１１）上で軸方向に突出し、また前記ホイールハブ（３）から前記外周（１５）に向けて補強リブ（１３）が伸長し、前記ホイール後側（１１）の前記外周（１５）に通じる放射状延伸面と前記補強リブ（１３）の後縁（１９）との間の距離は、前記ホイール後側（１１）の前記外周（１５）から前記ホイールハブ（３）に向けて増加する圧縮機ホイール。
【請求項２】
前記補強リブ（１３）は、湾曲された後縁（１９）を有する請求項１に記載の圧縮機ホイール。
【請求項３】
前記ホイールハブ（３）は、同心環（２３）によって前記ホイール後側（１１）上で囲繞され、前記補強リブ（１３）は、前記ホイールハブ（３）と前記同心環（２３）との間及び前記同心環（２３）から前記外周（１５）に向けて伸長する請求項１又は２に記載の圧縮機ホイール。
【請求項４】
前記ホイールハブ（３）と前記同心環（２３）との間の補強リブ（２５）の数は、前記同心環（２３）から前記外周（１５）に向けて伸長する補強リブ（１３）の数より小さい請求項３に記載の圧縮機ホイール。
【請求項５】
前記ホイールハブ（３）と前記同心環（２３)との間の前記補強リブ（２５）は、径方向に配向される請求項３又は４に記載の圧縮機ホイール。
【請求項６】
全ての前記補強リブ（１３，２５）は、径方向に伸長する請求項１乃至５の１項に記載の圧縮機ホイール。
【請求項７】
前記外周（１５）に向けて伸長する前記補強リブ（１３）は、湾曲されるか、又はｓ形状である請求項１乃至６の１項に記載の圧縮機ホイール。
【請求項８】
前記ポリマー材料は、ポリアリルエーテルケトン類、ポリスルホン類、ポリフェニレンスルホン類、ポリエーテルイミド類、ポリアミド類、ポリエーテルスルホン類、ポリフェニレンサルファイド類、ポリフッ化ビニリデン、エポキシ樹脂及びポリエステル類から選択される請求項１乃至７の１項に記載の圧縮機ホイール。
【請求項９】
前記ポリマー材料が繊維強化される請求項１乃至８の１項に記載の圧縮機ホイール。
【請求項１０】
排気ターボチャージャ、エンジン用電動圧縮機、掃除機、ブロワ、圧縮機、ファン又は蒸気抽出フード内の圧縮機ホイールとしての請求項１乃至９の１項に記載の圧縮機ホイールの使用。
【発明の詳細な説明】
【技術分野】
【０００１】
本発明は、ホイール前側、ホイール後側及びホイールハブを有し、ポリマー材料で構成される高速圧縮機用の圧縮機ホイールから始まり、ホイール前側は、外周からホイールハブに向けて、ホイール前側の外周に通じる放射状延伸面とホイール前側の表面との間の距離が増加する湾曲を有し、ホイール前側上に案内翼が配列される。
【背景技術】
【０００２】
圧縮機ホイールは、例えば、内燃機関の電動圧縮機に、又は家電、例えばバッグレス掃除機に用いられる。特に、内燃機関の圧縮機用として、圧縮機ホイールは、一般に、発生する高温及び高速回転のために金属で製造される。しかしながら、これらは、プラスチックと比較して大きな比重を有し、従ってまた、比較的大きな質量を有する。しかしながら、これは、圧縮機ホイールに作用する大きな力、及び、これに伴う、圧縮機ホイールに対する大きな要求駆動トルクに繋がる。
【０００３】
モータ又はエンジンの所要始動パワーを低減するため故に、個々の構成要素の質量の低減が要求される。金属材料の代用としてのプラスチックの使用は、この目的に適切とみられる。しかしながら、特に、高速圧縮機ホイールの場合には、高性能プラスチックでさえ、金属材料の耐久性を達成することはできない。この理由は、２５００００ｒｐｍまでの高速回転では、遠心力のせいで部品全体に極めて大きな曲げ応力が生じるためである。
【０００４】
内燃機関の出力の底上げ及び低燃費のための付加的な装置として電動圧縮機がますます使用されていることから、低質量の圧縮機ホイールに対する要求が増大している。この文脈では、電動圧縮機がエンジンと共に継続的に回転しないという事実のせいで高耐久性の圧縮機ホイールの使用が必要とされる。
【０００５】
バッグレス掃除機の分野からは、ポリエーテルエーテルケトン（PEEK）の圧縮機ホイールが使用可能であることが既に知られている。この種の圧縮機ホイールは、例えば、Konstruktion & Engineering, ke04/2005, page 86に記載されている。Motortechnische Zeitschrift, September 2009, Volume 70, Issue 9,pages652 to 656は、更に、PEEKから圧縮機ホイールを製造する方法を明らかにしている。しかしながら、それはまた、発生熱のため、エンジンを構築する比較的高圧縮のターボチャージャの近くでは使用することができないと述べている。
【発明の概要】
【発明が解決しようとする課題】
【０００６】
例えば自動車の内燃機関用の圧縮機ホイールは、WO-A2004/016952に開示される。この圧縮機ホイールは、プラスチック材料から圧縮機ホイールを製造可能とするために、後側上にリブを備える。WO-A2004/016952に示される排気ターボチャージャの形状に起因して、後側上で下方に突出する部品のない圧縮機ホイールが必要である。しかしながら、それは、特に高速回転において、生じ得るハウジングとの圧縮機ホイールの衝突によって、動作中に要求しない変形の結果に終わる筋書きを示している。
【０００７】
それ故に、本発明の目的は、低質量で、且つ、特に、ターボ圧縮機で生じる高速回転及び高温において高い耐久性で使用可能な圧縮機ホイールを提供することにある。
【課題を解決するための手段】
【０００８】
この目的は、ホイール前側、ホイール後側及びホイールハブを有し、ポリマー材料で構成される高速圧縮機用の圧縮機ホイールによって達成され、ホイール前側は、外周からホイールハブに向けて、ホイール前側の外周に通じる放射状延伸面とホイール前側の表面との間の距離が増加する湾曲を有し、ホイール前側上に案内翼が配列され、ホイールハブはホイール後側上で軸方向に突出し、またホイールハブから外周に向けて補強リブが伸長し、ホイール後側の外周に通じる放射状延伸面と補強リブの後縁との間の距離は、ホイール後側の外周からホイールハブに向けて増加する。
【０００９】
ホイール後側の補強リブは、圧縮機ホイールの全ての部分が実質的に同等の壁厚で具現化可能であるという有利を有する。それは、特に、それ故に、特にプラスチックで製造される場合に、空洞の形成や収縮による寸法不精度につながる、ハブに向かう方向への壁厚が大きな圧縮機ホイールの具現化の回避を可能とする。この収縮や関連する寸法不精度は、不均一な動作や、それ故の圧縮機ホイール作動中のダメージにつながる可能性がある。ポリマー中の空洞は、ポリマーが力を均一に吸収することができないことから、不安定性につながる。
【００１０】
本発明の文脈では、「ホイール後側上で軸方向に突出する」は、案内翼が配列されていない圧縮機ホイールの側がホイール後側であって、ホイールハブの軸方向端部が案内翼から離れる側に向いているように見えることを意味する。この目的のために、ホイールハブの下端、圧縮機ホイールの最大円周及びホイールハブの上端は、互いに軸方向に続いている。
【００１１】
ホイールハブはホイール後側上で軸方向に突出し、またホイールハブから外周に向けて補強リブが伸長し、ホイール後側の外周に通じる放射状延伸面と補強リブの後縁との間の距離がホイール後側の外周からホイールハブに向けて増加するといったような形状を通じて、選択されるプラスチックに依存して、２００℃までの高温でさえ、圧縮機ホイールの安定的で恒久的な作動を許容する安定性が驚くほど達成される。特に、高速回転によって発生する曲げ応力が吸収され得、また圧縮機ホイールはダメージを受けない。高速回転における、この小さな変形は、少量の漏れ流量のみの発生と、それ故の圧縮効率の僅かな低減といった付加的で肯定的な効果を有する。
【００１２】
リブの形状は、圧縮機ホイールの個々の部位の壁厚が１００％未満で異ならないという付加的な有利を有する。これは、材料の過度の収縮及びそれ故の圧縮機ホイールの望まない変形が発生することなく、高分子系材料から圧縮機ホイールを製造することを可能とする。更に、ポリマー材料の冷却中に空洞の生じない、薄い壁厚を可能とする。従って、製造に関連する弱点がなく、且つ圧縮機ホイールの寸法誤差がほんの少しである安定的な圧縮機ホイールが得られる。
【００１３】
補強リブは、直線状の又は湾曲した後縁を有することができる。もし後縁が湾曲しているなら、外側からハブに向けて凹むように伸長する。特に、もし外周に通じる放射状延伸面を後縁が交差しない湾曲ならば、ここではそれが好ましい。反対に、外周からハブに向けて直線状、即ち湾曲を伴わない後縁とすることもできる。しかしながら、湾曲を伴う後縁形状が好ましい。この場合、湾曲は、円弧、楕円、放物線、双曲線形状とすることができる。
【００１４】
本発明の１つの実施の形態では、ホイールハブは、ホイール後側上で同心環によって囲繞され、また補強リブは、ホイールハブと同心環との間及び同心環から外周に向けて伸長する。ホイールハブの周りで延伸するホイールハブと同心の環は、圧縮機ホイールの付加的な補強を可能とする。ここで、同心環は、最大で、ホイール後側上のホイールハブと同じ程度に軸方向に離れるように突出してもよい。もしホイール後側上の同心環外周から同心環まで及び同心環からホイールハブまで伸長する補強リブと同じ高さで終わるように同心環が突出するならば、特にそれが好ましい。もし同心環とホイールハブとの間の補強リブが圧縮機ホイールの軸と垂直に径方向に伸びる後縁を有するなら、ここではそれが好ましい。
【００１５】
特に、ホイールハブの小径及びそれに相応してホイールハブの小外周の場合、もしホイールハブと同心環との間の補強リブの数が同心環から外周に向けて伸長する補強リブの数より小さいならば、それが好ましい。ここで、少数の補強リブは、全てのリブが外周からホイールハブまで伸長している場合よりもリブ間の間隔を大きくできるという結果故に、より簡易な製造のために特に要求される。
【００１６】
更に、同心環は、付加的な同心環のない構造と比較してリブの総数を増やすことを可能とし、更に、それ故に安定性の一層の改善を可能とする。これは、特に、高速回転圧縮機ホイール、即ち５００００min-1までの回転速度での動作する圧縮機ホイールに対し、圧縮機ホイールの周縁での振動発生を低減し、更に動作中の圧縮機ホイールを囲むハウジングと圧縮機ホイールとの衝突を防止するために要求される。
【００１７】
ホイールハブと同心環との間で少数の補強リブを得られる場合には、ホイールハブと同心環との間の補強リブの数が同心環と圧縮機ホイールの外周との間の補強リブの数の半分とすると、それは特に好ましい。この場合、ホイールハブと同心環との間の補強リブは、外周から同心環まで伸長する第２補強リブの夫々の延長部を形成する。
【００１８】
補強リブは、直線状に又は湾曲して形成することができ、また径方向と相対的に０〜４５°までの範囲内の角度で配置することができる。このリブは、好ましくは０〜３０°までの範囲内、特に好ましくは０〜１５°の範囲内の角度で配置される。
【００１９】
同心環が得られる場合には、ホイールハブと同心環との間の補強リブが径方向に配置されると、それが好ましい。この場合、同心環と外周との間の補強リブは、０°と異なる角度で伸長することができる。更に、補強リブは直線状又は湾曲することができる。
【００２０】
しかしながら、全ての補強リブが径方向に伸長し、更に、この場合も、補強リブが直線状又は湾曲され得るならば、それは特に好ましい。
【００２１】
補強リブが湾曲形状である場合には、例えば、外周に向けて伸長する補強リブに対し、湾曲させたりｓ形状としたりすることができる。しかしながら、補強リブが直線形状であることは、製造上の理由から好ましい。
【００２２】
金属、セラミックス又はポリマーは、圧縮機ホイール用の材料として使用することができる。それらの低重量のために、プラスチックは、材料として好適に使用されるべきである。特に、圧縮機ホイールが自動車用のエンジンのターボ圧縮機に使用されるとき、材料は、好ましくは２００℃までの温度で十分に温度安定であるべきである。それにも関わらず、圧縮機ホイール用の材料として、用途に関わりなく同等のポリマーが好適に使用される。この文脈では、温度安定熱可塑性物質及び温度安定熱硬化性物質の双方を使用することができる。
【００２３】
圧縮機ホイールの製造に使用される適合するポリマー材料は、好ましくは、ポリアリルエーテルケトン類（PAEK）、ポリスルホン類（PSU）、ポリフェニレンスルホン類（PPSU）、ポリエーテルイミド類（PEI）、ポリアミド類（PA）、ポリエーテルスルホン類（PESU）、ポリフェニレンサルファイド類（PPS）、ポリフッ化ビニリデン（PVDF）、エポキシ樹脂（EP）及びポリエステル類から選択される。
【００２４】
適合するポリアリルエーテルケトン類は、例えば、ポリエーテルエーテルケトン（PEEK）、ポリアクリルエーテルケトンエーテルケトンケトン（PEKEKK）、ポリエーテルケトン（PEK）、ポリエーテルケトンケトン（PEKK）又はポリエーテルエーテルケトンケトン（PEEKK）である。
【００２５】
ポリマーとしてポリアミドが使用されるならば、ポリアミドは、PA46、PA6、PA66、PA6/6T、PA610、PA11及びPA12から好適に選択される。
【００２６】
この文脈では、ポリアリルエーテルケトン類又はポリエーテルスルホン類がポリマーとして特に好ましい。
【００２７】
ポリマー材料製の圧縮機ホイールとして十分な安定性を得るために、ポリマー材料が強化されるならば、それが好ましい。ここでは、パウダー状及びファイバー状の双方のフィラーが使用可能である。ファイバー状のフィラーの場合、特に、中繊維又は短繊維が使用される。この文脈では、１．７〜１０ｍｍまでの範囲の長さを有するファイバーが中繊維を指し、０．０１〜１．７ｍｍまでの範囲の長さを有するファイバーが短繊維を指す。短繊維又は中繊維の何れが使用されるかに関わらず、ファイバー径は５〜２０μｍまでの範囲であることが好ましい。グラスファイバーが使用される場合、ファイバー径は１０〜２０μｍまでの範囲であることが好ましく、また、カーボンファイバーが使用される場合、ファイバー径は５〜１０μｍまでの範囲であることが好ましい。
【００２８】
パウダー状のフィラーは、０．５〜５０μｍまでの範囲の平均径を有すことが好ましい。適合するパウダー状のフィラーは、例えば、タルク、黒鉛、炭酸カルシウム、フッ化カルシウム、酸化亜鉛、ワラストナイト、酸化マグネシウム又はカオリンである。
【００２９】
適合するファイバー状のフィラーは、グラスファイバー類、カーボンファイバー類、鉱物ファイバー類又はアラミドファイバー類である。この文脈では、カーボンファイバー類又はグラスファイバー類が特に好適である。ここでは、好ましくは、カーボンファイバー類は５〜１０μｍまでの範囲の直径を有し、粉砕カーボンファイバー類が使用される場合には５０〜５００μｍまでの範囲の長さを有し、切断カーボンファイバー類が使用される場合には１〜５ｍｍまでの範囲の長さを有する。この文脈ではまた、例えば一部が５０〜２５０μｍまでの範囲の長さで、一部が３〜５ｍｍまでの範囲の長さであるといったように、異なるファイバー長さの混合物を任意の要求混合比で使用することも可能である。
【００３０】
グラスファイバー類が使用される場合、これらは、１０〜１４μｍまでの範囲の直径を有し、粉砕グラスファイバー類が使用される場合には５０〜２５０μｍまでの範囲の長さを有し、切断グラスファイバー類が使用される場合には３〜５ｍｍまでの範囲の長さを有する。ここでもまた、例えば一部が５０〜２５０μｍまでの範囲の長さで、一部が３〜５ｍｍまでの範囲の長さであるといったように、異なるファイバー長さの混合物を任意の要求混合比で使用することが可能である。
【００３１】
ポリマーの特性を調整するために、ファイバー状又はパウダー状のフィラーに加えて更なる添加物を加えることが可能である。一般的に、使用される添加物は、例えば、硬化剤、架橋剤、可塑剤、触媒、靭性調整剤、接着促進剤、充填材、離型剤、他のポリマーとのブレンド、安定剤又はこれらの要素の２以上の混合物である。付加的に又は選択的に、当業者によって周知のコモノマーもまた、ポリマーの特性を調整するために使用することができる。
【００３２】
本発明に係る圧縮機ホイールは、例えば、排気ターボチャージャ、エンジン用電動圧縮機、掃除機、ブロワ、圧縮機、ファン又は蒸気抽出フード内の圧縮機ホイールとして適合する。
【００３３】
本発明の実施の形態が図面で表示されると共に、以下の記述によってより詳細に説明される。
【図面の簡単な説明】
【００３４】
【図１】図１は本発明に係る圧縮機ホイールの側面図を示す。
【図２】図２は本発明に係る圧縮機ホイールの断面図を示す。
【図３】図３はホイールハブ及びホイールボディの説明図を示す。
【図４】図４はホイール後側上の補強リブの種々の形状を示す。
【図５】図５はホイール後側上の補強リブの種々の形状を示す。
【図６】図６はホイール後側上の補強リブの種々の形状を示す。
【図７】図７はホイール後側上の補強リブの種々の形状を示す。
【発明を実施するための形態】
【００３５】
本発明に係る圧縮機ホイールが、図１に側面図として示される。
【００３６】
圧縮機ホイール１は、ホイールハブ３及びホイールボディ５を備える。案内翼７は、ホイール後側６上のホイールボディ５上に配列される。この案内翼７は、圧縮機ホイールの作動中、圧縮されたガスが、最大径を有する側部から圧縮機ホイール１の上端９の方向に運ばれるように形成されている。この目的のために、圧縮機ホイール１は、一般的に分速数千回転の回転速度で通常に回転する。従って、例えば、自動車エンジンの電動圧縮機として使用する場合、例えば１０００００ｒｐｍまでの回転速度に達する。ここでは、案内翼７の輪郭と形状は、当業者によって周知のように、対応する圧縮機ホイール用として一般的に通例的な形状に相当する。図１から理解されるように、案内翼７は、湾曲したｓ形状の輪郭を有し、最大周の領域では軸方向に、上端９の領域では他方の端部で径方向に向くように向きを変える。
【００３７】
本発明によれば、補強リブ１３は、案内翼と反対向きにホイール後側１１上に配列される。この補強リブ１３は、外周１５からホイールハブ３に向けて伸長する。図１から理解されるように、ホイールハブ３はホイール後側１１上で軸方向に突出し、また補強リブ１３はホイールハブ３の下端１７まで伸長する。ここに示す実施の形態では、補強リブは湾曲した後縁１９を有する。この場合、その輪郭は、外周１５の領域での最小の勾配とホイールハブ３の領域での最大の勾配を有して凹んでいる。
【００３８】
ここに示すように、補強リブ１３の後縁の凹んだ輪郭とは別に、例えば直線状の輪郭も可能である。この湾曲した輪郭は、円弧、放物線、楕円又は双胸腺形状とすることができる。図１に示すような円弧形状の輪郭が好ましい。
【００３９】
図２では、図１に示される圧縮機ホイールの断面が示される。
【００４０】
ここで見られるように、ホイールボディ５は、外周１５から上端１７への方向で湾曲する。空洞や、圧縮機ホイール１がポリマー材料で製造される場合の収縮による歪みにつながり得る大きな壁厚を回避するために、ホイールボディは、実質的に一定の厚みを有する湾曲した壁形状である。ホイールの十分な安定性を得るために、補強リブ１３が設けられる。
【００４１】
図２に示す実施の形態では、ホイールハブは、ホイール前側の領域におけるよりもホイール後側１１の領域においてより小さな内径２１を有する。この場合、ホイールハブの内径は、急な拡大を伴って増大する。
【００４２】
補強リブ１３に加えて、この圧縮機ホイール１は、ホイールハブ３を囲繞する同心環２３を有する。そして、補強リブ１３は、まず外周１５から同心環２３まで、また、そこからホイールハブ３上まで伸長する。この場合、外周１５から同心環２３までの補強リブ１３の数は、同心環２３とホイールハブ３との間の補強リブの数より大きくすることができる。
【００４３】
急な拡大を有するホイールハブ３の形状とは別に、図２に示すように、一定の直径を有するホイールハブ３の設計もまた可能である。これは、例示される図３から理解される。ここで、より一層簡素であるために、図３は、ホイールハブ３及びホイールボディ５のみを示す。ホイール後側上におけるこのホイールハブの突出長さはＩRRで示される。ここではまた、ホイールボディ５は、外周１５からホイールハブ３の上端９まで凹んだ湾曲を伴って延伸する。
【００４４】
図４〜７では、ホイール後側１１上の補強リブ１３の種々の可能な輪郭を示す。
【００４５】
図４は、図１及び２にも示されるような補強リブ１３の輪郭を示す。ここで、補強リブ１３は、径方向に直線的に伸長する。ここに示される変形では、ホイールハブ３は、同心環２３によって囲繞される。この場合、補強リブ１３は、外周１５から同心環２３まで伸長する。個々の第２補強リブ１３が、更に同心環２３からホイールハブ３まで伸長する。同心環２３とホイールハブ３との間の補強リブ１３の数の低減によって、全ての補強リブ１３がホイールハブ３まで伸長している場合よりも、個々の補強リブ１３間の距離を大きくすることができる。これは、特に圧縮機ホイール１の製造で有益である。
【００４６】
図５は、同心環２３とホイールハブ３との間の補強リブ２５が径方向に直線状に伸長し且つ外周１５から同心環２３までの補強リブが湾曲している状態の補強リブの配列を示す。ここに示す実施の形態では、補強リブは僅かなＳ形状を有する。
【００４７】
図６に示す形状では、補強リブ１３が円弧形状に伸長し、図７に示す実施の形態では、それらが、同様に、ｓ形状に伸長する。
【００４８】
図６及び７に示す補強リブ１３の形状と共に、同心環２３を付加的に備えることも可能である。
【００４９】
図１におけるリブの径方向への経路の代替として、径方向に対してある角度を有する補強リブの実施の形態も可能である。これはまた、接続線と径方向との間で規定される角度とその正反対との間に接続線を描くことによってここに決定される角度を伴う湾曲輪郭とすることも可能である。
【００５０】
ここに示す形状に加えて、補強リブは、例えば波状又はジグザグ形状のような想定される他の輪郭もまた可能であり、その場合でも、実質的に径方向への経路又は径方向に対して角度を有する経路が可能である。
【符号の説明】
【００５１】
１  圧縮機ホイール
３  ラジアルハブ
５  ホイールボディ
７  案内翼
９  上端
１１  ホイール後側
１３  補強リブ
１５  外周
１７  下端
１９  後縁
２１  ホイール後側の領域におけるホイールハブの内径
２３  同心環
２５  同心環２３とホイールハブ３との間の補強リブ
ＩRR  ホイール後側上におけるホイールハブの突出長さ
【図１】
2018518630.tif 000003
【図２】
2018518630.tif 000004
【図３】
2018518630.tif 000005
【図４】
2018518630.tif 000006
【図５】
2018518630.tif 000007
【図６】
2018518630.tif 000008
【図７】
2018518630.tif 000009
【手続補正書】
【提出日】平成29年4月20日(2017.4.20)
【手続補正１】
【補正対象書類名】特許請求の範囲
【補正対象項目名】全文
【補正方法】変更
【補正の内容】
【特許請求の範囲】
【請求項１】
ホイール前側（６）、ホイール後側（１１）及びホイールハブ（３）を有し、ポリマー材料で構成される高速圧縮機用の圧縮機ホイールであって、前記ホイール前側（６）は、前記外周（１５）から前記ホイールハブ（３）に向けて、前記ホイール前側（６）の外周（１５）に通じる放射状延伸面と前記ホイール前側（６）の表面との間の距離が増加する湾曲を有し、前記ホイール前側（６）上に案内翼（７）が配列され、前記ホイールハブ（３）は前記ホイール後側（１１）上で軸方向に突出し、また前記ホイールハブ（３）から前記外周（１５）に向けて補強リブ（１３）が伸長し、前記ホイール後側（１１）の前記外周（１５）に通じる放射状延伸面と前記補強リブ（１３）の後縁（１９）との間の距離は、前記ホイール後側（１１）の前記外周（１５）から前記ホイールハブ（３）に向けて増加し、前記ホイールハブ（３）は、同心環（２３）によって前記ホイール後側（１１）上で囲繞され、また前記補強リブ（１３）は、前記ホイールハブ（３）と前記同心環（２３）との間及び前記同心環（２３）から前記外周（１５）に向けて伸長する圧縮機ホイール。
【請求項２】
前記補強リブ（１３）は、湾曲された後縁（１９）を有する請求項１に記載の圧縮機ホイール。
【請求項３】
前記ホイールハブ（３）と前記同心環（２３）との間の補強リブ（２５）の数は、前記同心環（２３）から前記外周（１５）に向けて伸長する補強リブ（１３）の数より小さい請求項１又は２に記載の圧縮機ホイール。
【請求項４】
前記ホイールハブ（３）と前記同心環（２３)との間の前記補強リブ（２５）は、径方向に配向される請求項１乃至３の１項に記載の圧縮機ホイール。
【請求項５】
全ての前記補強リブ（１３，２５）は、径方向に伸長する請求項１乃至４の１項に記載の圧縮機ホイール。
【請求項６】
前記外周（１５）に向けて伸長する前記補強リブ（１３）は、湾曲されるか、又はｓ形状である請求項１乃至５の１項に記載の圧縮機ホイール。
【請求項７】
前記ポリマー材料は、ポリアリルエーテルケトン類、ポリスルホン類、ポリフェニレンスルホン類、ポリエーテルイミド類、ポリアミド類、ポリエーテルスルホン類、ポリフェニレンサルファイド類、ポリフッ化ビニリデン、エポキシ樹脂及びポリエステル類から選択される請求項１乃至６の１項に記載の圧縮機ホイール。
【請求項８】
前記ポリマー材料が繊維強化される請求項１乃至７の１項に記載の圧縮機ホイール。
【請求項９】
排気ターボチャージャ、エンジン用電動圧縮機、掃除機、ブロワ、圧縮機、ファン又は蒸気抽出フード内の圧縮機ホイールとしての請求項１乃至８の１項に記載の圧縮機ホイールの使用。
【国際調査報告】
2018518630.tif 000010
2018518630.tif 000011
2018518630.tif 000012
2018518630.tif 000013